【手続補正書】
【提出日】平成16年2月19日(2004.2.19)
【手続補正１】
【補正対象書類名】明細書
【補正対象項目名】発明の名称
【補正方法】変更
【補正の内容】
【発明の名称】ＬＣＤモジュール
【手続補正２】
【補正対象書類名】明細書
【補正対象項目名】特許請求の範囲
【補正方法】変更
【補正の内容】
【特許請求の範囲】
【請求項１】
透明電極と配向膜をそれぞれ有しほぼ平行に設けられた二つの基板間に旋光性物質を含有した誘電率異方性が正のネマチック液晶が挟持され、各基板の配向膜によって形成される液晶分子の配向方向による液晶層のねじれ角が１６０〜３００°とされ、液晶層の外側に一対の偏光板が備えられ、透明電極間に駆動電圧を印加する駆動回路が備えられ、透明電極のいずれか一方がロウ電圧を印加するロウ電極として備えられ、他方の透明電極がカラム電圧を印加するカラム電極として備えられた単純マトリックス型ＬＣＤモジュールであって、
液晶層と一対の偏光板のいずれか一方との間に複屈折板が配置され、二つの基板のうち複屈折板が配置された側の基板が第１の基板、残る一方が第２の基板とされ、液晶層での液晶の屈折率異方性Δｎ1 と液晶層の厚みｄ1 との積Δｎ1・ｄ1 が１．２〜２．５μｍとされ、ｎX 、ｎY を複屈折板面内方向の屈折率とし（ｎX ＞ｎY ）、ｎZ を複屈折板の厚み方向の屈折率とした場合、ｎX ≧ｎZ ≧ｎY となるように設けられ、遅相軸（ｎX が決まる面内方向）と進相軸（ｎY が決まる面内方向）の屈折率異方性と厚みによる垂直方向の複屈折の総和Δｎ2・ｄ2 が１．２〜２．５μｍとされ、
或る画素の選択期間をＰ個（Ｐは２以上の正の整数）に時間分割し、各期間を時間順にＴ（１）からＴ（Ｐ）とすると、Ｔ（１）からＴ（Ｐ）に対応するカラム電圧が、オンレベル又はオフレベルであり、選択期間中におけるオンレベルとオフレベルの変更回数が０回又は１回であるＬＣＤの駆動法によって、
３値以上の電圧値が選択されて透明電極間にマルチプレックス駆動によって電圧が印加されカラー表示が行われることを特徴とするＬＣＤモジュール。
【請求項２】
或る選択される行（次期電極）の選択期間に、カラム電極にオンレベルとオフレベルの電圧レベルを含む場合、直前に選択された行のカラム電極（前期電極）のＴ（Ｐ）における電圧レベルと同じ電圧レベルが次期電極のＴ（１）に印加される請求項１記載のＬＣＤモジュール。
【請求項３】
或る行の選択期間のＴ（１）における或るカラム電極の電圧レベルがオンレベルであって、その列に隣接する列のカラム電極（隣接電極）がオンレベルとオフレベルを含む場合、隣接電極のＴ（１）にはオフレベルの電圧レベルが印加され、又は、或る行の選択期間のＴ（１）におけるカラム電極の電圧レベルがオフレベルであって、その列に隣接する列のカラム電極（隣接電極）がオンレベルとオフレベルを含む場合、隣接電極のＴ（１）にはオンレベルの電圧レベルが印加される請求項１又は２記載のＬＣＤモジュール。
【請求項４】
或る行の選択期間のＴ（Ｐ）のカラム電極に印加される電圧レベルがオンレベルであるとき、或る列に隣接するカラム電極に印加される電圧レベルがオンレベルとオフレベルを含むならば、隣のカラム電極のＴ（Ｐ）はオフレベルであること、又は、或る行の選択期間のＴ（Ｐ）のカラム電極に印加される電圧レベルがオンレベルであるとき、或る列に隣接するカラム電極に印加される電圧レベルがオンレベルとオフレベルを含むならば、隣のカラム電極のＴ（Ｐ）はオフレベルである請求項１又は２記載のＬＣＤモジュール。
【手続補正３】
【補正対象書類名】明細書
【補正対象項目名】００２２
【補正方法】変更
【補正の内容】
【００２２】
本発明の第１の態様は、透明電極と配向膜をそれぞれ有しほぼ平行に設けられた二つの基板間に旋光性物質を含有した誘電率異方性が正のネマチック液晶が挟持され、各基板の配向膜によって形成される液晶分子の配向方向による液晶層のねじれ角が１６０〜３００°とされ、液晶層の外側に一対の偏光板が備えられ、透明電極間に駆動電圧を印加する駆動回路が備えられ、透明電極のいずれか一方がロウ電圧を印加するロウ電極として備えられ、他方の透明電極がカラム電圧を印加するカラム電極として備えられた単純マトリックス型のＬＣＤモジュールであって、液晶層と一対の偏光板のいずれか一方との間に複屈折板が配置され、二つの基板のうち複屈折板が配置された側の基板が第１の基板、残る一方が第２の基板とされ、液晶層での液晶の屈折率異方性Δｎ1 と液晶層の厚みｄ1 との積Δｎ1・ｄ1 が１．２〜２．５μｍとされ、ｎX 、ｎY を複屈折板面内方向の屈折率とし（ｎX ＞ｎY ）、ｎZ を複屈折板の厚み方向の屈折率とした場合、ｎX ≧ｎZ ≧ｎY となるように設けられ、遅相軸（ｎX が決まる面内方向）と進相軸（ｎY が決まる面内方向）の屈折率異方性と厚みによる垂直方向の複屈折の総和Δｎ2・ｄ2 が１．２〜２．５μｍとされ、或る画素の選択期間をＰ個（Ｐは２以上の正の整数）に時間分割し、各期間を時間順にＴ（１）からＴ（Ｐ）とすると、Ｔ（１）からＴ（Ｐ）に対応するカラム電圧が、オンレベル又はオフレベルであり、選択期間中におけるオンレベルとオフレベルの変更回数が０回又は１回であるＬＣＤの駆動法によって、３値以上の電圧値が選択されて透明電極間にマルチプレックス駆動によって電圧が印加されカラー表示が行われることを特徴とするＬＣＤモジュールを提供する。実際の駆動に際しては０回の場合と１回の場合とを組み合わせて表示を行う。


【手続補正４】
【補正対象書類名】明細書
【補正対象項目名】００２３
【補正方法】変更
【補正の内容】
【００２３】
本発明の第２の態様は、或る選択される行（次期電極）の選択期間に、カラム電極にオンレベルとオフレベルの電圧レベルを含む場合、直前に選択された行のカラム電極（前期電極）のＴ（Ｐ）における電圧レベルと同じ電圧レベルが次期電極のＴ（１）に印加される態様１のＬＣＤモジュールを提供する。


【手続補正５】
【補正対象書類名】明細書
【補正対象項目名】００２４
【補正方法】変更
【補正の内容】
【００２４】
本発明の第３の態様は、或る行の選択期間のＴ（１）における或るカラム電極の電圧レベルがオンレベルであって、その列に隣接する列のカラム電極（隣接電極）がオンレベルとオフレベルを含む場合、隣接電極のＴ（１）にはオフレベルの電圧レベルが印加され、又は、或る行の選択期間のＴ（１）におけるカラム電極の電圧レベルがオフレベルであって、その列に隣接する列のカラム電極（隣接電極）がオンレベルとオフレベルを含む場合、隣接電極のＴ（１）にはオンレベルの電圧レベルが印加される態様１又は２のＬＣＤのモジュールを提供する。


【手続補正６】
【補正対象書類名】明細書
【補正対象項目名】００２５
【補正方法】変更
【補正の内容】
【００２５】
本発明の第４の態様は、或る行の選択期間のＴ（Ｐ）のカラム電極に印加される電圧レベルがオンレベルであるとき、或る列に隣接するカラム電極に印加される電圧レベルがオンレベルとオフレベルを含むならば、隣のカラム電極のＴ（Ｐ）はオフレベルであること、又は、或る行の選択期間のＴ（Ｐ）のカラム電極に印加される電圧レベルがオンレベルであるとき、或る列に隣接するカラム電極に印加される電圧レベルがオンレベルとオフレベルを含むならば、隣のカラム電極のＴ（Ｐ）はオフレベルである態様１又は２のＬＣＤのモジュールを提供する。


【手続補正７】
【補正対象書類名】明細書
【補正対象項目名】００２６
【補正方法】変更
【補正の内容】
【００２６】
本発明の第５の態様は、Ｐが１６以下である態様１〜４のいずれか１態様のＬＣＤモジュールを提供する。
また、態様１〜５のいずれか１態様のＬＣＤモジュールにおいて、或る行の選択期間中、Ｔ（１）とＴ（２）又はＴ（Ｐ−１）とＴ（Ｐ）の間において、カラム電極がオンレベルからオフレベル又はオフレベルからオンレベルの変化がないことが好ましい。


【手続補正８】
【補正対象書類名】明細書
【補正対象項目名】００２７
【補正方法】変更
【補正の内容】
【００２７】
本発明の第６の態様は、Ｗ＊（１／Ｐ）≦０．２５を満足する最大の整数をＷと定義すると、或る行の選択期間中、Ｔ（１）からＴ（Ｗ）又はＴ（Ｐ−Ｗ）からＴ（Ｐ）の間において、カラム電極がオンレベルからオフレベル又はオフレベルからオンレベルの変化がない態様１〜５のいずれか１態様のＬＣＤモジュールを提供する。また、Ｗ＊（１／Ｐ）≦０．２を満足する最大の整数をＷと定義すると、或る行の選択期間中、Ｔ（１）からＴ（Ｗ）又はＴ（Ｐ−Ｗ）からＴ（Ｐ）の間において、カラム電極がオンレベルからオフレベル又はオフレベルからオンレベルの変化がないことがさらに好ましい。


【手続補正９】
【補正対象書類名】明細書
【補正対象項目名】００２８
【補正方法】変更
【補正の内容】
【００２８】
本発明の第７の態様は、或る画素に対応するカラム電極の選択期間の時間に対するオンレベルの時間の比をＲ（オンレベルの時間／選択期間の時間）とし、Ｒ（Ｓ）＝（１／Ｐ）＊Ｓ＊１００％（Ｓは０（ゼロ）からＰまでのいずれかの整数）で決められる（Ｐ＋１）個の異なったＲ（Ｓ）（０≦Ｒ（Ｓ）≦１００％）を定義した場合、そのカラム電極の選択期間のＲ（Ｓ）が、Ｑ個以下（Ｑ≦（Ｐ＋１）の整数）の異なったＲ（Ｓ）を持つＸフレームを単位として駆動する態様１〜６のいずれか１態様のＬＣＤモジュールを提供する。


【手続補正１０】
【補正対象書類名】明細書
【補正対象項目名】００２９
【補正方法】変更
【補正の内容】
【００２９】
本発明の第８の態様は、Ｘフレーム内のそれぞれのＲ（Ｓ）の差が３０％を超えない態様７のＬＣＤモジュールを提供する。また、態様８において、Ｘフレーム内のそれぞれのＲ（Ｓ）の差が１５％を超えないことがさらに好ましい。
また、態様１〜８のいずれか１態様において、Ｘフレーム内のＲ（Ｓ）は、ＳがＵ又はＵ＋１（０≦Ｕ、Ｕ＋１≦Ｐ、かつＵは整数）の組み合わせであることが好ましい。


【手続補正１１】
【補正対象書類名】明細書
【補正対象項目名】００３０
【補正方法】変更
【補正の内容】
【００３０】
本発明の第９の態様は、Ｘが７以下である態様１〜８のいずれか１態様のＬＣＤモジュールを提供する。また、態様９において、Ｘが４以下であることがさらに好ましい。また、上記の各態様において、Ｐ≦９であることが好ましい。


【手続補正１２】
【補正対象書類名】明細書
【補正対象項目名】００３１
【補正方法】変更
【補正の内容】
【００３１】
本発明の第１０の態様は、Ｘフレーム内の全てのＲ（Ｓ）が０％でないこと、又は１００％でない態様７のＬＣＤモジュールを提供する。


【手続補正１３】
【補正対象書類名】明細書
【補正対象項目名】００３３
【補正方法】削除
【補正の内容】
【手続補正１４】
【補正対象書類名】明細書
【補正対象項目名】００３５
【補正方法】変更
【補正の内容】
【００３５】
また、態様１において、液晶組成としては高速化のためにトランス−ジフルオロエチレン誘導体化合物（一般式：Ｒ1 −（Ｃｙ）n −ＣＦ＝ＣＦ−Ｐｈ−Ｒ2 、ここで、Ｃｙはトランス−１，４−シクロヘキシレン基、Ｐｈは１，４−フェニレン基であり、これらの環基はそれぞれ非置換であるか又は置換基として１個以上のフッ素原子を有していてもよい、及び、Ｒ1 、Ｒ2 は相互に独立して炭素数１〜１０のアルキル基、ｎは１又は２である。）を５〜６０ｗｔ％含むことが好ましい。また低温（−２０℃）では、液晶の誘電率異方性の周波数依存性が大きくなる傾向があるので、周波数依存性の小さい液晶を用いることが好ましい。具体的にはサイン波で３ｋＨｚと４００Ｈｚで液晶を駆動したときのＶthの比（Ｖth（３ｋＨｚ）／Ｖth（４００Ｈｚ）とする。）が１．０５以下の液晶を用いることが好ましい。


【手続補正１５】
【補正対象書類名】明細書
【補正対象項目名】００３６
【補正方法】変更
【補正の内容】
【００３６】
本発明の第１１の態様は、４レベル以上の中間電圧レベルを発生する制御回路とＬＣＤのロウ電極又はカラム電極に供給される印加電圧を発生する出力回路とが備えられ、ロウ電圧を印加するロウ電極と、カラム電圧を印加するカラム電極とが備えられた単純マトリックス型のＬＣＤ駆動回路であって、ＬＣＤの或る画素の選択期間をＰ個（Ｐは正の整数）に時間分割し、各期間を時間順にＴ（１）からＴ（Ｐ）とすると、Ｔ（１）からＴ（Ｐ）に対応するカラム電圧が、オンレベル又はオフレベルであるように駆動電圧を発生するＬＣＤ駆動回路を提供する。また、１０レベル以上の中間電圧レベルを発生するように設けることが好ましい。


【手続補正１６】
【補正対象書類名】明細書
【補正対象項目名】００３７
【補正方法】変更
【補正の内容】
【００３７】
本発明の第１２の態様は、１６レベル以上の中間電圧レベルが備えられた態様１１のＬＣＤ駆動回路を提供する。また、２０レベル以上の中間電圧レベルが備えられることがさらに好ましい。


【手続補正１７】
【補正対象書類名】明細書
【補正対象項目名】００３８
【補正方法】変更
【補正の内容】
【００３８】
本発明の第１３の態様は、カラム電極の数が６０以上である請求項１１又は１２のＬＣＤ駆動回路を提供する。また、態様１１、１２又は１３の態様は、モノリシック集積回路で構成されることが好ましい。


【手続補正１８】
【補正対象書類名】明細書
【補正対象項目名】００７３
【補正方法】変更
【補正の内容】
【００７３】
第２の態様は、第１の態様において、複屈折板の屈折率が、次の数１の範囲にあるカラー液晶表示装置である。


【手続補正１９】
【補正対象書類名】明細書
【補正対象項目名】００７５
【補正方法】変更
【補正の内容】
【００７５】
第３の態様は、第１又は第２の態様において、１．０＊Δｎ2・ｄ2 ≦Δｎ1・ｄ1 ≦１．２＊Δｎ2・ｄ2 の条件を満たすカラー液晶表示装置である。


【手続補正２０】
【補正対象書類名】明細書
【補正対象項目名】００７６
【補正方法】変更
【補正の内容】
【００７６】
第４の態様は、第１又は第２の態様において、用いるΔｎ1・ｄ1 とΔｎ2・ｄ2 の値の組み合わせを（Δｎ1・ｄ1 とΔｎ2・ｄ2 ）のベクトル値で表した場合、Ｌ1 （１．３，１．４）、Ｌ2 （１．４，１．４）、Ｌ3 （１．３，１．５）、Ｌ4 （１．７５，１．７５）、Ｌ5 （１．７５，１．８５）、Ｌ6 （１．６５，１．８５）で囲まれた領域から選択されたΔｎ1・ｄ1 とΔｎ2・ｄ2 が用いられたカラー液晶表示装置である。


【手続補正２１】
【補正対象書類名】明細書
【補正対象項目名】００７７
【補正方法】変更
【補正の内容】
【００７７】
第５の態様は、第１、第２、第３又は第４の態様において、液晶層のねじれ角が１６０〜２６０°であり、前記遅相軸と第１の基板側の液晶分子の配向方向との角度θ2 が７５〜１１０°であり、第１の基板側の偏光板の偏光軸又は吸収軸と前記配向方向との角度θ1 が１２０〜１６５°であり、第２の基板側の偏光板の偏光軸又は吸収軸と第２の基板側の液晶分子の配向方向との角度θ3 が１１５〜１５５°であるカラー液晶表示装置である。


【手続補正２２】
【補正対象書類名】明細書
【補正対象項目名】００７８
【補正方法】変更
【補正の内容】
【００７８】
第６の態様は、第５の態様において、液晶層のねじれ角が２２０〜２６０°であるカラー液晶表示装置である。


【手続補正２３】
【補正対象書類名】明細書
【補正対象項目名】００７９
【補正方法】変更
【補正の内容】
【００７９】
第７の態様は、第１又は第２の態様において、液晶層のねじれ角が２２０〜２６０°であり、Δｎ1・ｄ1 が１．３〜１．８μｍであり、Δｎ2・ｄ2 が１．４〜１．９μｍであり、前記遅相軸と第１の基板側の液晶分子の配向方向との角度θ2 が７５〜１１０°であり、第１の基板側の偏光板の偏光軸又は吸収軸と前記配向方向との角度θ1 が１２０〜１６５°であり、第２の基板側の偏光板の偏光軸又は吸収軸と第２の基板側の液晶分子の配向方向との角度θ3 が１２０〜１５０°であるカラー液晶表示装置である。


【手続補正２４】
【補正対象書類名】明細書
【補正対象項目名】００８０
【補正方法】変更
【補正の内容】
【００８０】
第８の態様は、第１又は第２の態様において、液晶層のねじれ角が２３０〜２５０°であり、Δｎ1・ｄ1 が１．３〜１．４μｍであり、Δｎ2・ｄ2 が１．４〜１．５μｍであり、前記遅相軸と第１の基板側の液晶分子の配向方向との角度θ2 が９０〜１１０°であり、第１の基板側の偏光板の偏光軸又は吸収軸と前記配向方向との角度θ1 が１３０〜１５０°であり、第２の基板側の偏光板の偏光軸又は吸収軸と第２の基板側の液晶分子の配向方向との角度θ3 が１２５〜１４５°であるカラー液晶表示装置である。


【手続補正２５】
【補正対象書類名】明細書
【補正対象項目名】００８１
【補正方法】変更
【補正の内容】
【００８１】
第９の態様は、第１又は第２の態様において、液晶層のねじれ角が２３０〜２５０°であり、Δｎ1・ｄ1 が１．６５〜１．７５μｍであり、Δｎ2・ｄ2 が１．７５〜１．８５μｍであり、前記遅相軸と第１の基板側の液晶分子の配向方向との角度θ2 が８５〜１０５°であり、第１の基板側の偏光板の偏光軸又は吸収軸と前記配向方向との角度θ1 が１４０〜１６０°であり、第２の基板側の偏光板の偏光軸又は吸収軸と第２の基板側の液晶分子の配向方向との角度θ3 が１２５〜１４５°であるカラー液晶表示装置である。


【手続補正２６】
【補正対象書類名】明細書
【補正対象項目名】００８２
【補正方法】変更
【補正の内容】
【００８２】
第１０の態様は、第１又は第２の態様において、液晶層のねじれ角が２３０〜２５０°であり、Δｎ1・ｄ1 が１．６５〜１．７５μｍであり、Δｎ2・ｄ2 が１．７５〜１．８５μｍであり、前記遅相軸と第１の基板側の液晶分子の配向方向との角度θ2 が９０〜１１０°であり、第１の基板側の偏光板の偏光軸又は吸収軸と前記配向方向との角度θ1 が１４５〜１６５°であり、第２の基板側の偏光板の偏光軸又は吸収軸と第２の基板側の液晶分子の配向方向との角度θ3 が１２５〜１４５°であるカラー液晶表示装置である。


【手続補正２７】
【補正対象書類名】明細書
【補正対象項目名】００８３
【補正方法】変更
【補正の内容】
【００８３】
第１１の態様は、第１又は第２の態様において、液晶層のねじれ角が２３０〜２５０°であり、Δｎ1・ｄ1 が１．９〜２．１μｍであり、Δｎ2・ｄ2 が２．０〜２．２μｍであり、前記遅相軸と第１の基板側の液晶分子の配向方向との角度θ2 が８５〜１０５°であり、第１の基板側の偏光板の偏光軸又は吸収軸と前記配向方向との角度θ1 が１３０〜１５０°であり、第２の基板側の偏光板の偏光軸又は吸収軸と第２の基板側の液晶分子の配向方向との角度θ3 が１２５〜１４５°であるカラー液晶表示装置である。


【手続補正２８】
【補正対象書類名】明細書
【補正対象項目名】００８４
【補正方法】変更
【補正の内容】
【００８４】
第１２の態様は、第１又は第２の態様において、液晶層のねじれ角が２３０〜２５０°であり、Δｎ1・ｄ1 が１．９〜２．１μｍであり、Δｎ2・ｄ2 が１．６５〜１．８５μｍであり、前記遅相軸と第１の基板側の液晶分子の配向方向との角度θ2 が７５〜９５°であり、第１の基板側の偏光板の偏光軸又は吸収軸と前記配向方向との角度θ1 が３０〜５０°であり、第２の基板側の偏光板の偏光軸又は吸収軸と第２の基板側の液晶分子の配向方向との角度θ3 が１２５〜１４５°であるカラー液晶表示装置である。


【手続補正２９】
【補正対象書類名】明細書
【補正対象項目名】００８５
【補正方法】変更
【補正の内容】
【００８５】
第１３の態様は、第１又は第２の態様において、液晶層のねじれ角が２３０〜２５０°であり、Δｎ1・ｄ1 が１．９〜２．１μｍであり、Δｎ2・ｄ2 が１．９〜２．１５μｍであり、前記遅相軸と第１の基板側の液晶分子の配向方向との角度θ2 が７５〜９５°であり、第１の基板側の偏光板の偏光軸又は吸収軸と前記配向方向との角度がθ1 が１２０〜１４０°であり、第２の基板側の偏光板の偏光軸又は吸収軸と第２の基板側の液晶分子の配向方向との角度θ3 が１２５〜１４５°であるカラー液晶表示装置である。


【手続補正３０】
【補正対象書類名】明細書
【補正対象項目名】００８６
【補正方法】変更
【補正の内容】
【００８６】
第１４の態様は、第１又は第２の態様において、液晶層のねじれ角が２３０〜２５０°であり、Δｎ1・ｄ1 が１．７〜１．８５μｍであり、Δｎ2・ｄ2 が１．７５〜１．９５μｍであり、前記遅相軸と第１の基板側の液晶分子の配向方向との角度θ2 が８５〜１０５°であり、第１の基板側の偏光板の偏光軸又は吸収軸と前記配向方向との角度θ1 が１４０〜１６０°であり、第２の基板側の偏光板の偏光軸又は吸収軸と第２の基板側の液晶分子の配向方向との角度θ3 が１２５〜１４５°であるカラー液晶表示装置である。


【手続補正３１】
【補正対象書類名】明細書
【補正対象項目名】００８７
【補正方法】変更
【補正の内容】
【００８７】
第１５の態様は、第１又は第２の態様において、液晶層のねじれ角が２３０〜２５０°であり、Δｎ1・ｄ1 が２．３〜２．５μｍであり、Δｎ2・ｄ2 が２．２〜２．５μｍであり、前記遅相軸と第１の基板側の液晶分子の配向方向との角度θ2 が７５〜９５°であり、第１の基板側の偏光板の偏光軸又は吸収軸と前記配向方向との角度θ1 が１２５〜１４５°であり、第２の基板側の偏光板の偏光軸又は吸収軸と第２の基板側の液晶分子の配向方向との角度θ3 が１２５〜１４５°であるカラー液晶表示装置である。


【手続補正３２】
【補正対象書類名】明細書
【補正対象項目名】００８８
【補正方法】変更
【補正の内容】
【００８８】
第１６の態様は、第１又は第２の態様において、液晶層のねじれ角が２３０〜２５０°であり、Δｎ1・ｄ1 が１．６〜１．８μｍであり、Δｎ2・ｄ2 が１．２〜１．４μｍであり、前記遅相軸と第１の基板側の液晶分子の配向方向との角度θ2 が９０〜１１０°であり、第１の基板側の偏光板の偏光軸又は吸収軸と前記配向方向との角度θ1 が１４０〜１６０°であり、第２の基板側の偏光板の偏光軸又は吸収軸と第２の基板側の液晶分子の配向方向との角度θ3 が１２５〜１４５°であるカラー液晶表示装置である。


【手続補正３３】
【補正対象書類名】明細書
【補正対象項目名】００８９
【補正方法】変更
【補正の内容】
【００８９】
第１７の態様は、第１〜第１６のいずれかの態様において、反射板が設けられたカラー液晶表示装置である。